(57)【要約】【課題】信頼性の向上を図る。【解決手段】本実施形態の接点装置では、カード１３がばね性を有する材料で形成され、且つアーマチュア８並びに接点ばね７にそれぞれ固定されている。そのため、カード１３がアーマチュア８及び接点ばね７に対して摺動自在に引っ掛けられる場合に比べて、摺動によって磨耗粉が生じることがない。その結果、摺動によって磨耗粉が生じる従来例と比較して、本実施形態の接点装置は、信頼性の向上を図ることができる。【選択図】        図１
2015216053.tif 000002
【特許請求の範囲】
【請求項１】
アーマチュアと、前記アーマチュアを駆動する駆動部と、固定接点と、前記固定接点に接離する可動接点と、前記可動接点を前記固定接点と接離可能に支持する接点ばねと、前記アーマチュアと前記接点ばねとを連結するカードとを備え、
前記カードは、ばね性を有する材料で形成され、且つ前記アーマチュア並びに前記接点ばねにそれぞれ固定されることを特徴とする接点装置。
【請求項２】
前記カードは、前記可動接点の接離方向と比較して、前記接離方向と直交する方向に撓み易くなるように構成されていることを特徴とする請求項１記載の接点装置。
【請求項３】
前記カードは、前記アーマチュアと前記接点ばねの少なくとも何れか一方を、前記可動接点の接離方向に沿って跨ぐように配置され、前記接離方向における外側から前記アーマチュア及び前記接点ばねに固定されることを特徴とする請求項１又は２記載の接点装置。
【請求項４】
前記カードは、前記アーマチュアに固定される第１固定部と、前記接点ばねに固定される第２固定部と、前記第１固定部と前記第２固定部を連結する連結部とを有し、前記連結部は、前記第１固定部と前記第２固定部の最短距離よりも長くなるように構成されることを特徴とする請求項２又は３記載の接点装置。
【請求項５】
前記連結部は、前記接離方向において、前記第１固定部と前記第２固定部に挟まれた領域内のみに存在するように構成されることを特徴とする請求項４記載の接点装置。
【請求項６】
前記連結部は、前記接離方向において、少なくとも一部が、前記第１固定部と前記第２固定部に挟まれた領域外に存在するように構成されることを特徴とする請求項４記載の接点装置。
【請求項７】
前記カードは、前記可動接点の接離方向に沿って撓み可能に設けられる接圧部を有し、前記接圧部が前記接点ばねに固定されることを特徴とする請求項１〜６の何れか１項に記載の接点装置。
【請求項８】
前記カードは、金属材料で形成されていることを特徴とする請求項１〜７の何れか１項に記載の接点装置。
【発明の詳細な説明】
【技術分野】
【０００１】
本発明は、一般に接点装置に関し、より詳細には、電磁リレーなどの接点装置に関する。
【背景技術】
【０００２】
従来例として、特許文献１記載の電磁リレーを例示する。この従来例は、電磁石装置（駆動部）と接点機構とがボディに組み付けられる。電磁石装置は、積極子（アーマチュア）を揺動させてカードを駆動することにより、接点機構を接離するように構成される。
【０００３】
カードは、アーマチュアの先端が挿通孔に挿通されることでアーマチュアに係止されている。また、カードの別の挿通孔に、可動ばねの先端が挿通されることにより、可動ばねがカードに係止されている。そして、アーマチュアが揺動してカードを直線的に移動させることにより、各可動ばねが駆動される。
【先行技術文献】
【特許文献】
【０００４】
【特許文献１】特開２００９−１４６７５９号公報
【発明の概要】
【発明が解決しようとする課題】
【０００５】
ところで、特許文献１記載の従来例では、カードを介して可動ばねが駆動されるとき、カードの挿通孔内を接極子（アーマチュア）及び可動ばねの先端が摺動するために磨耗粉が生じる可能性がある。そして、磨耗粉が可動接点や固定接点に付着すると、接触不良などを引き起こして信頼性の低下を招く虞がある。
【０００６】
本発明は、上記課題に鑑みて為された発明であり、信頼性の向上を図ることを目的とする。
【課題を解決するための手段】
【０００７】
本発明の接点装置は、アーマチュアと、前記アーマチュアを駆動する駆動部と、固定接点と、前記固定接点に接離する可動接点と、前記可動接点を前記固定接点と接離可能に支持する接点ばねと、前記アーマチュアと前記接点ばねとを連結するカードとを備え、
前記カードは、ばね性を有する材料で形成され、且つ前記アーマチュア並びに前記接点ばねにそれぞれ固定されることを特徴とする。
【０００８】
この接点装置において、前記カードは、前記可動接点の接離方向と比較して、前記接離方向と直交する方向に撓み易くなるように構成されていることが好ましい。
【０００９】
この接点装置において、前記カードは、前記アーマチュアと前記接点ばねの少なくとも何れか一方を、前記可動接点の接離方向に沿って跨ぐように配置され、前記接離方向における外側から前記アーマチュア及び前記接点ばねに固定されることが好ましい。
【００１０】
この接点装置において、前記カードは、前記アーマチュアに固定される第１固定部と、前記接点ばねに固定される第２固定部と、前記第１固定部と前記第２固定部を連結する連結部とを有し、前記連結部は、前記第１固定部と前記第２固定部の最短距離よりも長くなるように構成されることが好ましい。
【００１１】
この接点装置において、前記連結部は、前記接離方向において、前記第１固定部と前記第２固定部に挟まれた領域内のみに存在するように構成されることが好ましい。
【００１２】
この接点装置において、前記連結部は、前記接離方向において、少なくとも一部が、前記第１固定部と前記第２固定部に挟まれた領域外に存在するように構成されることが好ましい。
【００１３】
この接点装置において、前記カードは、前記可動接点の接離方向に沿って撓み可能に設けられる接圧部を有し、前記接圧部が前記接点ばねに固定されることが好ましい。
【００１４】
この接点装置において、前記カードは、金属材料で形成されていることが好ましい。
【発明の効果】
【００１５】
本発明の接点装置は、アーマチュアと前記接点ばねとを連結するカードを備え、前記カードが、ばね性を有する材料で形成され、且つ前記アーマチュア並びに前記接点ばねにそれぞれ固定される。本発明の接点装置は上述のように構成されるので、従来例のような磨耗粉が生じないため、従来例と比較して、信頼性の向上を図ることができるという効果がある。
【図面の簡単な説明】
【００１６】
【図１】本発明に係る接点装置の実施形態を示し、カバーを外した状態の平面図である。
【図２】同上の分解斜視図である。
【図３】同上の後方から見た斜視図である。
【図４】同上におけるリレー本体の正面図である。
【図５】同上におけるリレー本体の右側面図である。
【図６】同上におけるリレー本体の一部省略した斜視図である。
【図７】同上における位置決め部材を示し、Ａは正面図、Ｂは左側面図、Ｃは右側面図、Ｄは上面図、Ｅは下面図、Ｆは背面図である。
【図８】同上におけるカードの別の構成を示す斜視図である。
【図９】同上におけるカードの別の構成を示す斜視図である。
【図１０】同上におけるカードの別の構成を示す斜視図である。
【図１１】同上におけるカードの別の構成を示す斜視図である。
【図１２】同上におけるカードの別の構成を示す斜視図である。
【図１３】同上におけるカードの別の構成を示す斜視図である。
【図１４】同上におけるカードの別の構成を示す斜視図である。
【図１５】同上におけるカードの別の構成を示す斜視図である。
【図１６】同上におけるカードの別の構成を示す斜視図である。
【図１７】同上におけるカードの別の構成を示す斜視図である。
【図１８】同上におけるカードの別の構成を示す斜視図である。
【発明を実施するための形態】
【００１７】
以下、本発明に係る接点装置（電磁リレー）の実施形態について、図面を参照して詳細に説明する。ただし、本発明に係る接点装置は、本実施形態に限定されず、本発明の技術思想に合致する範囲内において、種々の構成が採用可能である。なお、以下の説明においては、特に断りの無い限り、図２において前後・左右・上下の各方向を規定する。
【００１８】
本実施形態の接点装置（以下、接点装置と略す。）は、図１〜図３に示すようにボディ１０とカバー１１からなるケース（外郭）１を備える。ボディ１０は、一面が開口した矩形箱形の合成樹脂成形体からなる。また、カバー１１は、一面が開口した矩形箱形の合成樹脂成形体からなる。ボディ１０にカバー１１を被せることでケース１が組み立てられる。なお、カバー１１の開口端縁には、内向きに突出する微少な鍔１１０がほぼ全周に渡って形成されており、ボディ１０の底面に鍔１１０が引っ掛かることによって、ボディ１０とカバー１１が抜け止めされて結合される（図３参照）。また、抜け止めの結合方法としては、必ずしも上記に限らず、鍔１１０を設けずに、接着剤（シール剤）を用いて結合してもよい。
【００１９】
さらに、本実施形態の接点装置は、駆動ブロックと接点ブロックと位置決め部材１２からなるリレー本体Ａをケース１内に備える。
【００２０】
駆動ブロックは、駆動部２と、アーマチュア（armature）８と、ヒンジばね９と、カード１３とを有する。駆動部２は、ボビン２１と、ボビン２１に巻線が巻回されてなるコイル２０と、ボビン２１の中心に配置される鉄心（図示せず）と、継鉄２２とを備えた電磁石からなる。
【００２１】
ボビン２１は、コイル２０が巻回されている胴部（図示せず）と、胴部の軸方向の一端側に設けられる第１鍔部２１０と、胴部の軸方向の他端側に設けられる第２鍔部２１１とを有する。なお、このようなボビン２１は、合成樹脂などの絶縁材料によって胴部と一対の鍔部２１０，２１１とが一体に形成されることが好ましい。
【００２２】
第１鍔部２１０は、扁平な矩形箱状であって、片方の底面（右側面）と１つの側面（下面）が開放された形状に形成されている（図２参照）。第１鍔部２１０の側面（上面）には、コイル２０の両端末と各別に接続されている一対のコイル端子２１２が、胴部の径方向の外向き（上向き）に突出している。つまり、これら一対のコイル端子２１２間に電圧が印加されてコイル２０に電流が流れることにより、駆動部（電磁石）２が励磁される。
【００２３】
継鉄２２は、第２鍔部２１１に保持される保持片２２０と、保持片２２０の端から第１鍔部２１０まで延長された主片２２１とが磁性体で一体且つＬ字形に形成されている（図１参照）。
【００２４】
アーマチュア８は、帯板状の駆動片８０と、駆動片８０よりも幅広且つ平板状の支持片８１とが磁性体で一体に形成されている。支持片８１は、第１鍔部２１０内に収められて、ヒンジばね９の第１固定片９０が固定される（図２及び図６参照）。また、支持片８１は、第１鍔部２１０の内底面に露出する鉄心の端部と対向する。駆動片８０は、第１鍔部２１０の開放された側面（下面）から第１鍔部２１０の外へ突出している。また、駆動片８０は、継鉄２２の主片２２１の先端と当たっている（図４参照）。なお、駆動片８０の先端面（下端面）には、直方体状の突起８２が設けられている。
【００２５】
ヒンジばね９は、第１固定片９０と、第２固定片９１と、一対のばね片９２とが板ばねによって一体に形成されてなる（図６参照）。第１固定片９０は、矩形平板状に形成され、アーマチュア８の支持片８１に固定（かしめ固定）される。第２固定片９１は、矩形平板状に形成され、継鉄２２の主片２２１に固定（かしめ固定）される。一対のばね片９２は、Ｌ字形に折曲され、長手方向の両端で第１固定片９０と第２固定片９１に各別に結合される。
【００２６】
而して、アーマチュア８は、駆動部２に駆動されることにより、継鉄２２の主片２２１と当たっている部分を支点として、支持片８１が鉄心に近付く向き（図１における反時計回り）に回転する。また、駆動部２に駆動されないとき、アーマチュア８は、支持片８１が鉄心から離れる向き（図１における時計回り）に回転する。
【００２７】
接点ブロックは、固定接点３と、可動接点４と、第１端子５と、第２端子６と、接点ばね７とを有する。
【００２８】
接点ばね７は、複数枚（本実施形態では３枚）の板ばね７０と、連結部材７１とを有する（図４参照）。板ばね７０は、帯状の主片７００と、主片７００の先端（下端）から斜めに立ち上がる傾斜片７０１と、傾斜片７０１の先端（下端）から主片７００と平行に突出する矩形の取付片７０２とを備える。これら３枚の板ばね７０は、図６に示すように主片７００同士及び取付片７０２同士を重ねるようにして一体に結合される。
【００２９】
連結部材７１は、矩形の取付部７１０と、取付部７１０の下端縁の中央から斜め下向きに突出する傾斜部７１１と、傾斜部７１１の先端（下端）から取付部７１０と平行に突出する結合部７１２とを備える（図４参照）。取付部７１０は、板ばね７０の取付片７０２と重ねられる。そして、３枚の取付片７０２と取付部７１０とを貫通するように、取付部７１０の表面（右側面）に可動接点４が設けられる。また、結合部７１２は、先端（下端）部分が他の部位よりも幅広に形成されている。そして、結合部７１２は、前記幅広の先端部分でカード１３と結合される。
【００３０】
さらに、接点ばね７は、板ばね７０の他端（主片７００の上端）部分で第２端子６と結合される（図４参照）。第２端子６は、端子片６０、固定片６１、傾斜片６２、連結片６３が金属材料で一体に形成されてなる。端子片６０は、矩形平板状に形成され、中央にねじ孔６００が貫通している。このねじ孔６００には、図示しない端子ねじがねじ込まれる。固定片６１は、矩形平板状に形成され、接点ばね７の板ばね７０の他端（上端）が固定（かしめ固定）される。傾斜片６２は、矩形平板状に形成され、固定片６１の下端から斜め下向き（左下向き）に突出する。連結片６３は、矩形平板状に形成され、端子片６０の上端と傾斜片６２の下端とを連結する。
【００３１】
可動接点４が接触する固定接点３は、第１端子５に設けられる。第１端子５は、端子片５０、取付片５１、支持片５２、連結片５３が金属材料で一体に形成されてなる。端子片５０は、矩形平板状に形成され、中央にねじ孔５００が貫通している。このねじ孔５００には、図示しない端子ねじがねじ込まれる。取付片５１は、矩形平板状に形成され、中央に固定接点３が取り付けられる。支持片５２は、前端に端子片５０が連結された主片５２０と、主片５２０の上端縁から斜め上向きに突出する傾斜片５２１とを有する。連結片５３は、矩形平板状に形成され、傾斜片５２１の上端と取付片５１の右端とを連結する。
【００３２】
駆動ブロックのカード１３は、ばね性を有する材料（例えば、金属板等）で形成され、且つアーマチュア８並びに接点ばね７にそれぞれ固定される。
【００３３】
カード１３は、図５及び図６に示すように帯状に形成され、長手方向の一端部に矩形の孔１３０が貫通され、長手方向の他端部が厚み方向に直角に折り曲げられている。カード１３は、孔１３０に挿通された突起８２がかしめられることによって、アーマチュア８に固定される。つまり、孔１３０が第１固定部に相当する。さらに、カード１３は、直角に折り曲げられた部位（以下、第２固定部１３１と呼ぶ。）が接点ばね７（連結部材７１の結合部７１２）に固定（かしめ固定）される。
【００３４】
位置決め部材１２は、図７に示すように、底壁１２０、第１縦壁１２１、第２縦壁１２２、第３縦壁１２３、第４縦壁１２４、第５縦壁１２５が一体に形成された合成樹脂成形体からなる。
【００３５】
底壁１２０は、平坦な鉤形に形成される。第１縦壁１２１〜第５縦壁１２５は、概ね矩形平板状に形成され、底壁１２０の表面から同一の向きに立ち上がっている。第１縦壁１２１と第２縦壁１２２と第３縦壁１２３は、底壁１２０の幅狭の部分において、互いに平行且つ間隔を空けて配置されている。なお、第１縦壁１２１と第２縦壁１２２に挟まれた空間を第１溝部１２６と呼び、第２縦壁１２２と第３縦壁１２３に挟まれた空間を第２溝部１２７と呼ぶ。第４縦壁１２４と第５縦壁１２５は、底壁１２０の幅広の部分の端部において、互いに平行且つ間隔を空けて配置されている。なお、第４縦壁１２４と第５縦壁１２５に挟まれた空間を第３溝部１２８と呼ぶ。
【００３６】
また、底壁１２０において、第１溝部１２６の底面には、一対の保持孔（第１保持孔）１２６０が第１溝部１２６の長手方向に沿って並べて設けられている。さらに、底壁１２０において、第２溝部１２７の底面にも、一対の保持孔（第２保持孔）１２７０が第２溝部１２７の長手方向に沿って並べて設けられている。またさらに、底壁１２０において、第３溝部１２８の底面にも、一対の保持孔（第３保持孔）１２８０が第３溝部１２８の長手方向に沿って並べて設けられている。これら各一対の第１保持孔１２６０、第２保持孔１２７０、第３保持孔１２８０は、いずれも底壁１２０を貫通する矩形の貫通孔からなる。なお、第１保持孔１２６０、第２保持孔１２７０、第３保持孔１２８０の内周面には、複数の突起が設けられている。
【００３７】
第１溝部１２６には、駆動部２を構成する継鉄２２の主片２２１が挿入される。この主片２２１には、一対の突起（図示せず）が設けられている。そして、これら一対の突起がそれぞれ第１保持孔１２６０に圧入されることにより、第１溝部１２６において、継鉄２２の主片２２１が保持及び位置決めされる（図４参照）。
【００３８】
また、第２溝部１２７には、第１端子５の連結片５３が挿入される。連結片５３にも、一対の突起５３０が設けられている（図６参照）。そして、これら一対の突起５３０がそれぞれ第２保持孔１２７０に圧入されることにより、第２溝部１２７において、第１端子５の連結片５３が保持及び位置決めされる（図４参照）。
【００３９】
さらに、第３溝部１２８には、第２端子６の連結片６３が挿入される。連結片６３にも、一対の突起（図示せず）が設けられている。そして、これら一対の突起がそれぞれ第３保持孔１２８０に圧入されることにより、第３溝部１２８において、第２端子６の連結片６３が保持及び位置決めされる（図４参照）。
【００４０】
すなわち、位置決め部材１２は、アーマチュア８と駆動部２と固定接点３と可動接点４と接点ばね７とカード１３の相互の位置関係を規制するように構成されている。そして、駆動部２と第１端子５と第２端子６が位置決め部材１２に保持されることにより、リレー本体Ａが構成される。
【００４１】
ところで、ボディ１０の底板１００の下部における左右両側の角には、それぞれ矩形の孔１０１Ａ，１０１Ｂが貫通している。また、左側の孔１０１Ａの内周面には複数の突起が設けられている。左側の孔１０１Ａには、第２端子６の連結片６３の後端部が圧入される。また、右側の孔１０１Ｂには、第１端子５の主片５２０の後端部が挿入される。つまり、リレー本体Ａは、第２端子６の連結片６３の後端部がボディ１０に支持された状態でボディ１０内に収納される（図１参照）。
【００４２】
また、リレー本体Ａがボディ１０内に収納された状態において、駆動部２のコイル端子２１２は、ボディ１０の上側の側板に設けられる溝１０２を通してボディ１０の外に突出する（図１参照）。なお、当該側板の表面（上面）には、長手方向を前後方向とする直方体状のリブ１０３が外向き（上向き）に突出している。
【００４３】
ここで、ボディ１０内において、駆動部２とアーマチュア８と接点部（固定接点３及び可動接点４）とカード１３に囲まれた空間に、消弧部材が配置されている。消弧部材は、永久磁石１４とヨーク１５で構成される。永久磁石１４は、矩形の平板状に形成され、厚み方向において異極に着磁されている。ヨーク１５は、前後方向から見てＬ字形に形成されている。永久磁石１４及びヨーク１５は、ボディ１０に設けられた収納部１０４に収納される。
【００４４】
収納部１０４は、前後方向から見た外形がＬ字形である箱状であって、ボディ１０の底板１００から前方へ突出するように形成されている（図２参照）。また、収納部１０４は、内部が空洞になっており、ボディ１０の後方に開放された挿入口１０４０から永久磁石１４及びヨーク１５が挿入され且つ収納される（図３参照）。
【００４５】
次に、本実施形態の接点装置を組み立てる手順を簡単に説明する。
【００４６】
まず、カード１３の第２固定部１３１が接点ばね７の結合部７１２に固定された後、駆動部２、第１端子５、第２端子６がそれぞれ位置決め部材１２に保持される。その後、カード１３の第１固定部（孔１３０）がアーマチュア８の突起８２に固定されることにより、リレー本体Ａが組み立てられる。
【００４７】
続いて、リレー本体Ａがボディ１０内に収納される。このとき、リレー本体Ａは、第２端子６の連結片６３の後端部が、ボディ１０の底板１００の孔１０１Ａに圧入されることでボディ１０に位置決め及び固定される。さらに、ボディ１０の前方からカバー１１が被せられてケース１が組み立てられる。最後に、ボディ１０の収納部１０４内に永久磁石１４とヨーク１５が収納されて、本実施形態の接点装置が完成する。なお、カバー１１における左右両側の側壁には、第１端子５の端子片５０並びに第２端子６の端子片６０をそれぞれ逃がすための切り欠き１１１が形成されている（図２及び図３参照）。また、カバー１１の上側の側壁には、ボディ１０のリブ１０３が嵌まる溝１１２が形成されている（図３参照）。
【００４８】
次に、図１を参照して本実施形態の接点装置の動作を説明する。コイル端子２１２間に電圧が印加されていない状態では、駆動部２がアーマチュア８を駆動しない。そのため、接点ばね７がカード１３に引っ張られないので、可動接点４と固定接点３とが、所定のギャップを空けて対向している。このとき、第１端子５と第２端子６は非導通状態（オフ状態）となる。
【００４９】
一方、コイル端子２１２間に電圧が印加されている状態では、駆動部２がアーマチュア８を駆動し、アーマチュア８が反時計回りに回転する。そのため、接点ばね７がカード１３に引っ張られて右向きに撓むので、可動接点４が固定接点３に接触する。このとき、第１端子５と第２端子６は導通状態（オン状態）となる。なお、オン状態においてコイル端子２１２間に電圧が印加されなくなれば、アーマチュア８が時計回りに回転してオフ状態に復帰する。
【００５０】
ここで、オン状態からオフ状態に復帰する際、可動接点４と固定接点３との間にアーク放電が発生することがある。アーク放電が発生した場合、発生したアークを速やかに消弧してアーク放電を短時間で終了させる必要がある。そのために本実施形態の接点装置は、永久磁石１４とヨーク１５からなる消弧部材をボディ１０の収納部１０４内に収納している。つまり、永久磁石１４とヨーク１５によって、固定接点３と可動接点４の周囲に磁場を形成し、当該磁場による電磁力でアークを引き延ばすことにより、アークを消弧している。
【００５１】
上述のように本実施形態の接点装置では、カード１３がばね性を有する材料で形成され、且つアーマチュア８並びに接点ばね７にそれぞれ固定されている。そのため、カード１３がアーマチュア８及び接点ばね７に対して摺動自在に引っ掛けられる場合に比べて、摺動によって磨耗粉が生じることがない。その結果、摺動によって磨耗粉が生じる従来例と比較して、本実施形態の接点装置は、信頼性の向上を図ることができる。
【００５２】
ところで、リレー本体Ａにおいて、アーマチュア８が継鉄２２との接触点を支点として回転し、接点ばね７が第２端子６に固定された点を支点して回転する。そのため、カード１３は、長手方向（左右方向）に平行移動するだけでなく、厚み方向（上下方向）にも移動する。しかも、アーマチュア８の回転半径と、接点ばね７の回転半径とが異なるので、カード１３の厚み方向に沿った移動量が、第１固定部１３０側の端部と、第２固定部１３１側の端部とで異なる。つまり、それぞれの移動量の相違に起因して、カード１３の両端部には厚み方向に沿った力が発生し、カード１３には応力が発生する。
【００５３】
そこで、本実施形態の接点装置において、カード１３は、可動接点４の固定接点３との接離方向（カード１３の長手方向）と比較して、前記接離方向と直交する方向（カード１３の厚み方向）に撓み易くなるように構成されることが好ましい。つまり、カード１３の両端部の移動量が相違していても、カード１３が厚み方向に撓み易く構成されているため、移動量の相違に起因してカード１３の両端部に発生する力及びカード１３に発生する応力が低減される。
【００５４】
また、本実施形態の接点装置において、カード１３は、前記接離方向に沿って接点ばね７を跨ぐように配置され、前記接離方向における外側（左側）から接点ばね７に固定されることが好ましい。すなわち、本実施形態におけるカード１３は、第２固定部１３１が外側（左側）から接点ばね７（連結部材７１の結合部７１２）にかしめ固定されている。そのため、第２固定部１３１は、結合部７１２に対して厚み方向から固定されるため、厚みの小さい結合部７１２にも容易に固定可能である。また、カード１３は、前記接離方向に沿ってアーマチュア８を跨ぐように配置され、前記接離方向における外側（右側）からアーマチュア８に固定されても構わない。
【００５５】
ところで、カード１３の長手方向（左右方向）の長さは、カード１３の第１固定部１３０が固定されるアーマチュア８の先端と、カード１３の第２固定部１３１が固定される接点ばね７の先端との距離に応じて決定される。つまり、前記距離が短くなれば、カード１３の長手方向の長さも短くなる。しかしながら、カード１３が真っ直ぐな帯状に形成されている場合、長手方向の長さが短くなるにつれて、厚み方向に撓み難くなってしまう。
【００５６】
そこで、カード１３は、第１固定部１３０と第２固定部１３１を連結する連結部１３２が、第１固定部１３０と第２固定部１３１の最短距離よりも長くなるように構成されることが好ましい（図８参照）。カード１３が上述のように構成されれば、第１固定部１３０と第２固定部１３１との距離が短くなっても、カード１３が厚み方向に撓み難くなることを抑制することができる。
【００５７】
また、連結部１３２は、図８〜図１３に示すように、前記接離方向において、第１固定部１３０と第２固定部１３１に挟まれた領域内のみに存在するように構成されることが好ましい。連結部１３２が上述のように構成されれば、前記接離方向におけるカード１３の小型化を図ることができる。
【００５８】
さらに、連結部１３２は、図１４〜図１６に示すように、前記接離方向において、少なくとも一部が、第１固定部１３０と第２固定部１３１に挟まれた領域外に存在するように構成されることが好ましい。連結部１３２が上述のように構成されれば、前記接離方向を含む多方向におけるカード１３の小型化を図ることができる。
【００５９】
ここで、カード１３は、図１７及び図１８に示すように、可動接点４の接離方向に沿って撓み可能な接圧部を有し、この接圧部が接点ばね７に固定されるように構成されても構わない。なお、この接圧部は、接点ばね７に固定される平坦な固定片１３３と、一対の連結部１３２と固定片１３３とを繋ぐ撓み片１３４とで構成され、撓み片１３４が撓むことで可動接点４を固定接点３に押し付ける力を発生させる。つまり、接点ばね７の連結部材７１に代えて、接圧部の固定片１３３が板ばね７０の取付片７０２に固定されることにより、連結部材７１に第２固定部１３１をかしめ固定する作業工程と、連結部材７１とを削減することができる。なお、接圧部の固定片１３３に設けられる貫通孔１３３０は、可動接点４をかしめ固定するために用いられる。
【符号の説明】
【００６０】
２  駆動部
３  固定接点
４  可動接点
７  接点ばね
８  アーマチュア
１３  カード
【図１】
2015216053.tif 000003
【図２】
2015216053.tif 000004
【図３】
2015216053.tif 000005
【図４】
2015216053.tif 000006
【図５】
2015216053.tif 000007
【図６】
2015216053.tif 000008
【図７】
2015216053.tif 000009
【図８】
2015216053.tif 000010
【図９】
2015216053.tif 000011
【図１０】
2015216053.tif 000012
【図１１】
2015216053.tif 000013
【図１２】
2015216053.tif 000014
【図１３】
2015216053.tif 000015
【図１４】
2015216053.tif 000016
【図１５】
2015216053.tif 000017
【図１６】
2015216053.tif 000018
【図１７】
2015216053.tif 000019
【図１８】
2015216053.tif 000020